(57)【要約】【課題】光源の発光パターンを切替える場合であっても、切替えた瞬間の記録品位を維持し続ける光ディスク装置およびその制御方法を提供することを目的とする。【解決手段】レーザ光を発光する光源４ａと、レーザ光を用いて光ディスク１にデータを記録する光ピックアップ４と、光源４ａの発光量を調整する発光量調整部１２と、光源４ａの第１発光パターンと第２発光パターンとを記憶する記憶部１４と、記録中に光ディスク１上の所定位置で、光源４ａの発光パターンを第１発光パターンから第２発光パターンに切替える制御部１４と、を備え、制御部１４は、発光パターンを第２発光パターンに切替える直前に、第１発光パターンに対応する発光量をモニタし、モニタで得た発光量に所定値を乗算して、第２発光パターンに対応する発光量を決定することを特徴とする。【選択図】図１
2010170618.tif 000002
【特許請求の範囲】
【請求項１】
レーザ光を発光する光源と、
前記レーザ光を用いて光ディスクにデータを記録する光ピックアップと、
前記光源の発光量を調整する発光量調整手段と、
前記光源の第１発光パターンと第２発光パターンとを記憶する記憶手段と、
記録中に光ディスク上の所定位置で、前記光源の発光パターンを第１発光パターンから第２発光パターンに切替える制御手段と、を備え、
前記制御手段は、
前記発光パターンを前記第２発光パターンに切替える直前に、前記第１発光パターンに対応する発光量をモニタし、前記モニタで得た発光量に所定値を乗算して、前記第２発光パターンに対応する発光量を決定することを特徴とする光ディスク装置。
【請求項２】
前記第１発光パターンに基づく発光と前記第２発光パターンに基づく発光の発光時間が異なり、
前記所定値は、前記光源の発光パターンを第１発光パターンから第２発光パターンに切替える際に、前記第２発光パターンに切替える直前の前記第１発光パターンに対応する発光に基づく熱量と、前記第２発光パターンに切替えた直後の前記第２発光パターンに対応する発光に基づく熱量と、が等しくなるように設定されることを特徴とする請求項１記載の光ディスク装置
【請求項３】
レーザ光を用いて光ディスクにデータを記録する際に、記録中に前記光ディスク上の所定位置で、前記レーザ光を発光する光源の発光パターンを第１発光パターンから第２発光パターンに切替える光ディスク装置の制御方法であって、
前記発光パターンを前記第２発光パターンに切替える直前に、前記第１発光パターンに対応する発光量をモニタし、前記モニタで得た発光量に所定値を乗算して前記第２発光パターンに対応する発光量を決定することを特徴とする光ディスク装置の制御方法。
【発明の詳細な説明】
【技術分野】
【０００１】
本発明は、光ディスクに情報を記録する光ディスク装置およびその制御方法に関するものである。
【背景技術】
【０００２】
光ディスク装置は、ＣＡＶ（Ｃｏｎｓｔａｎｔ  Ａｎｇｕｌａｒ  Ｖｅｌｏｃｉｔｙ、以下、単にＣＡＶと呼ぶ）記録をする場合、光ディスクの内周側から外周側にかけて記録速度が連続的に速くなる。レーザ光を発光する光源の発光パターンの最適値は記録速度に応じて異なるため、光ディスクの内周側から外周側にかけて連続して記録する場合、記録途中で発光パターンを切替える必要がある。このとき、同時に各々の発光パターンに対応する発光量も切替える必要がある。
【０００３】
従来の光ディスク装置では、光ディスク装置を起動する際に行うＯＰＣ（Ｏｐｔｉｍｕｍ  Ｐｏｗｅｒ  Ｃｏｎｔｒｏｌ、以下単にＯＰＣと呼ぶ）の結果に基づき、各々の発光パターンに対応する発光量を決定していた。
【特許文献１】特開２００３−８５７５９号公報
【発明の開示】
【発明が解決しようとする課題】
【０００４】
しかしながら、上記従来の構成では、発光パターンを記録途中で切替えると、発光パターンを切替えた直後に光源の発光量の精度を確保できないという問題があった。すなわち、最初の発光パターンである第１発光パターンに対応する発光量と次の発光パターンである第２発光パターンに対応する発光量とを、光ディスク装置を起動する際に行うＯＰＣにより略同一タイミング、略同一領域の試し書きで決定していたので、第２発光パターンに切替えた直後の記録速度、光源の発光量に対する光ディスク各記録領域の感度差、および光ディスク装置の使用時間に応じて変化する温度上昇に起因する変化の影響を受ける場合があった。その結果、発光パターンを切替えた直後に光源の発光量の精度を確保できず、記録品位を維持できない場合があった。
【０００５】
本発明は、上記課題を解決するためになされたものであり、光源の発光パターンを切替える場合であっても、切替えた瞬間の記録品位を維持し続けることが可能な光ディスク装置およびその制御方法を提供することを目的とする。
【課題を解決するための手段】
【０００６】
本発明は上記課題を解決するためになされたものであって、レーザ光を発光する光源と、レーザ光を用いて光ディスクにデータを記録する光ピックアップと、光源の発光量を調整する発光量調整手段と、光源の第１発光パターンと第２発光パターンとを記憶する記憶手段と、記録中に光ディスク上の所定位置で、光源の発光パターンを第１発光パターンから第２発光パターンに切替える制御手段と、を備え、制御手段は、発光パターンを第２発光パターンに切替える直前に、第１発光パターンに対応する発光量をモニタし、モニタで得た発光量に所定値を乗算して、第２発光パターンに対応する発光量を決定することを特徴とする光ディスク装置である。
【０００７】
また本発明は、レーザ光を用いて光ディスクにデータを記録する際に、記録中に光ディスク上の所定位置で、レーザ光を発光する光源の発光パターンを第１発光パターンから第２発光パターンに切替える光ディスク装置の制御方法であって、発光パターンを前記第２発光パターンに切替える直前に、第１発光パターンに対応する発光量をモニタし、モニタで得た発光量に所定値を乗算して第２発光パターンに対応する発光量を決定することを特徴とする光ディスク装置の制御方法である。
【発明の効果】
【０００８】
本発明は上記構成により、光源の発光パターンを第１発光パターンから第２発光パターンに切替える際、第２発光パターンに切替える直前に、第１発光パターンに対応する発光量をモニタし、モニタで得た発光量に所定値を乗算して第２発光パターンに対応する発光量を決定するので、第２発光パターンに対応する光源の発光量に、第２発光パターンに切替えた直後の記録速度、光源の発光量に対する光ディスク各記録領域の感度差、および光ディスク装置の使用時間に応じて変化する温度上昇に起因する変化の影響を軽減し、光源の発光パターンが第１発光パターンから第２発光パターンに切り替わる瞬間の記録品位を維持し続けることができる。その結果、光源の発光パターンを第１発光パターンから第２発光パターンに切替える場合であっても、切替えた瞬間の記録品位を維持し続けることが可能な光ディスク装置およびその制御方法を実現することができる。
【発明を実施するための最良の形態】
【０００９】
請求項１記載の発明は、レーザ光を発光する光源と、レーザ光を用いて光ディスクにデータを記録する光ピックアップと、光源の発光量を調整する発光量調整手段と、光源の第１発光パターンと第２発光パターンとを記憶する記憶手段と、記録中に光ディスク上の所定位置で、光源の発光パターンを第１発光パターンから第２発光パターンに切替える制御手段と、を備え、制御手段は、発光パターンを第２発光パターンに切替える直前に、第１発光パターンに対応する発光量をモニタし、モニタで得た発光量に所定値を乗算して、第２発光パターンに対応する発光量を決定することを特徴とするものである。これにより、光源の発光パターンを第１発光パターンから第２発光パターンに切替える際、第２発光パターンに切替える直前に、第１発光パターンに対応する発光量をモニタし、モニタで得た発光量に所定値を乗算して第２発光パターンに対応する発光量を決定するので、第２発光パターンに対応する発光量に、第２発光パターンに切替えた直後の記録速度、光源の発光量に対する光ディスク各記録領域の感度差、および光ディスク装置の使用時間に応じて変化する温度上昇に起因する変化の影響を軽減し、光源の発光パターンが第１発光パターンから第２発光パターンに切り替わる瞬間の記録品位を維持し続けることができる。その結果、光源の発光パターンを第１発光パターンから第２発光パターンに切替える場合であっても、切替えた瞬間の記録品位を維持し続けることが可能な光ディスク装置を実現することができる。
【００１０】
請求項２記載の発明は、第１発光パターンに基づく発光と第２発光パターンに基づく発光の発光時間が異なり、第２発光パターンの発光量に乗算する所定値は、光源の発光パターンを第１発光パターンから第２発光パターンに切替える際に、第２発光パターンに切替える直前の第１発光パターンに対応する発光に基づく熱量と、第２発光パターンに切替えた直後の第２発光パターンに対応する発光に基づく熱量と、が等しくなるように設定されることを特徴とする。これにより、光源の発光パターンを第１発光パターンから第２発光パターンに切替える際、第２発光パターンに切替える直前の第１発光パターンに対応する発光に基づく熱量と、第２発光パターンに切替えた直後の第２発光パターンに対応する発光に基づく熱量と、が等しくなるように第２発光パターンの発光量に乗算する所定値を設定するので、第１発光パターンから第２発光パターンに切替える際の切替え前後において形成される各記録マークの長さの変化を抑制することができる。
【００１１】
請求項３記載の発明は、レーザ光を用いて光ディスクにデータを記録する際に、記録中に光ディスク上の所定位置で、レーザ光を発光する光源の発光パターンを第１発光パターンから第２発光パターンに切替える光ディスク装置の制御方法であって、発光パターンを第２発光パターンに切替える直前に、第１発光パターンに対応する発光量をモニタし、モニタで得た発光量に所定値を乗算して第２発光パターンに対応する発光量を決定することを特徴とするものである。これにより、光源の発光パターンを第１発光パターンから第２発光パターンに切替える際、第２発光パターンに切替える直前に、第１発光パターンに対応する発光量をモニタし、モニタで得た発光量に所定値を乗算して第２発光パターンに対応する発光量を決定するので、第２発光パターンに対応する発光量に、第２発光パターンに切替えた直後の記録速度、光源の発光量に対する光ディスク各記録領域の感度差、および光ディスク装置の使用時間に応じて変化する温度上昇に起因する変化の影響を軽減し、光源の発光パターンが第１発光パターンから第２発光パターンに切り替わる瞬間の記録品位を維持し続けることができる。その結果、光源の発光パターンを第１発光パターンから第２発光パターンに切替える場合であっても、切替えた瞬間の記録品位を維持し続けることが可能な光ディスク装置の制御方法を実現することができる。
【００１２】
（実施の形態１）
以下、本発明の実施の形態１について、図面を参照しながら説明する。
【００１３】
図１は、本発明の実施の形態１における光ディスク装置のレーザパワー制御部を示すブロック図である。図１において、１は光ディスク、２はピックアップモジュール、３はスピンドルモータ、４は光ピックアップ、４ａは光源、４ｂは対物レンズ、４ｃは受光部、５はキャリッジ、６はフィード部、７はフィードモータ、８はアナログ信号処理部、８ａはＲＦ信号生成部、９はサーボ処理部、１０はモータ駆動部、１１はデジタル信号処理部、１２は発光量調整部、１３は制御部、１４は記憶部である。なお、本実施の形態１のおける光源は光源４ａ、光ピックアップは光ピックアップ４、発光量調整手段は発光量調整部１２、記憶手段は記憶部１４、制御手段は制御部１３である。
【００１４】
ピックアップモジュール２は、光ディスク１を回転させるスピンドルモータ３と、レーザ光を用いて光ディスク１にデータを記録する光ピックアップ４と、光ピックアップ４が搭載されたキャリッジ５を光ディスク１の半径方向に移動させるためのフィード部６とによって構成されている。
【００１５】
フィード部６はトラバースモータ、ギヤ、スクリューシャフト等から構成され、フィードモータ７を回転させることによってフィード部６を移動させる。また、光ピックアップ４は、レーザ光を発光する光源４ａと、光源４ａが発光したレーザ光を光ディスク１に集光する対物レンズ４ｂと、光ディスク１からの反射光を受光する受光部４ｃとから構成され、受光部４ｃは光ディスク１からの反射光を電気信号に変換する。
【００１６】
アナログ信号処理部８は少なくともＲＦ信号生成部８ａを有している。ＲＦ信号生成部８ａは、キャリッジ５に設けられた光ピックアップ４内部の受光部４ｃの出力信号からデータ再生のためのＲＦ信号を生成してデジタル信号処理部１１に送る。また、アナログ信号処理部８は分割光センサの出力信号に演算・帯域処理を施し、サーボ処理部９に出力する。
【００１７】
サーボ処理部９は、演算回路、フィルタ回路、増幅回路等によって構成され、アナログ信号処理部８からの信号を元にフォーカスエラー信号およびトラッキングエラー信号を生成する。光ビームスポットが光ディスク１の情報トラックを追従するようにフォーカスエラー信号およびトラッキングエラー信号を基にモータ駆動部１０を介して対物レンズ４ｂをフォーカス／トラッキング制御し、さらにトラッキングエラー信号の低域成分を用いて対物レンズ４が概略中立位置を保持するようにフィード制御を行う。
【００１８】
デジタル信号処理部１１はデータスライサ、ＰＬＬ回路、変調・復調回路、エラー訂正回路、レーザ制御回路、バッファメモリ、ホストインターフェース回路等から構成されている。デジタル信号処理部１１では、アナログ信号処理部８から入力されるＲＦ信号を２値化しエラー訂正を行ったのち情報信号としてホストに送信する。また、ホストから送られたデータを変調して光ディスク１に情報を記録するためのレーザ変調信号を生成し、発光量調整部１２に送る。
【００１９】
発光量調整部１２は、装着された光ディスク１の記録面に最適な記録マークが形成できるように光源４ａの発光量と、光源４ａの発光パターンを調整する。
【００２０】
記憶部１４は、光源４ａの第１発光パターンと第２発光パターンとを記憶し、制御部１３の要求に応じて、それらの情報を制御部１３に出力する。ここで、第１発光パターンと第２発光パターンは、光ディスク１の中心からの距離に応じて区分される各記録領域に適用する発光パターンである。
【００２１】
制御部１３は、記録中に光ディスク１上の所定の位置で、光源４ａの発光パターンを第１発光パターンから第２発光パターンに切替えて、記録速度に応じて最適値が異なる発光パターンと発光量を調整する。また、制御部１３は、アナログ信号処理部８、サーボ処理部９、デジタル信号処理部１１、記憶部１４の各部から送られる信号が入力され、これらの信号の演算処理等を行い、この演算処理の結果（信号）を各部に送出し、各部にて駆動、処理を実行させ、各部の制御を行うものである。
【００２２】
ここで、本発明における光ディスク装置の信号の流れについて説明する。
【００２３】
本発明の光ディスク装置の記録時における信号の流れは、制御部１３の記録指令に基づき、サーボ処理部９、モータ駆動部１０を介して光ピックアップ４を動作させ、光ディスク１にデータの記録を行う。このとき、制御部１３は、光ディスク１の中心から距離が近い領域に記録する場合には光源４ａの発光パターンに第１発光パターンを用い、光ディスク１の中心から距離が遠い領域に記録する場合には光源４ａの発光パターンに第２発光パターンを用いる。そして、発光パターンを第２発光パターンに切替える直前に、第１発光パターンに対応する発光量をモニタし、モニタで得た発光量に所定値を乗算して第２発光パターンに対応する発光量を決定する。
【００２４】
また、本発明の光ディスク装置の再生時における信号の流れは、光ディスク１に記録された記録データを光ピックアップ４で読み取り、制御部１３は、アナログ信号処理部８、デジタル信号処理部１１を介して、情報の入手を行う。
【００２５】
次に、光ディスクの記録領域と光源の発光パターンとの関係について説明する。
【００２６】
図２は、光ディスクの記録領域を示す図である。図２（ａ）は光ディスクの上面図であり、図２（ｂ）は光ディスクの断面図である。図２において、１は光ディスク、１ａは内周側記録領域、１ｂは外周側記録領域である。
【００２７】
光ディスク１にＣＡＶ記録する場合、光ディスク１の記録領域は少なくとも２つの領域に区分され、各々の記録領域で発光パターンを変更する。本実施の形態１では、各々の記録領域をそれぞれ内周側記録領域１ａと外周側記録領域１ｂとする。
【００２８】
内周側記録領域１ａは光ディスク１の内周側すなわち光ディスク１の中心から距離が近い領域に位置し、外周側記録領域１ｂは光ディスク１の外周側すなわち光ディスク１の中心から距離が遠い領域に位置する。内周側記録領域１ａと外周側記録領域１ｂとの境界を境界領域と呼び、この境界領域が本実施の形態１における所定位置となる。なお、図２における境界領域は鎖線に相当する。
【００２９】
制御部１３は、ＯＰＣ終了後、最初に内周側記録領域１ａに記録を行い、次に外周側記録領域１ｂに記録を行う。内周側記録領域１ａでは光源４ａの発光パターンに第１発光パターンを用い、その後、光ピックアップ４が境界領域に到達すると、発光パターンを第２発光パターンに切替える直前に、第１発光パターンに対応する発光量をモニタし、モニタで得た発光量に所定値を乗算して第２発光パターンに対応する発光量を決定する。
【００３０】
次に、第１発光パターンから第２発光パターンに切替える際に、第２発光パターンに対応する発光量を決定する方法について説明する。
【００３１】
図３は、本発明の実施の形態１における光源の発光パターンを示す図である。図３（ａ）は第１発光パターンを示し、図３（ｂ）は第２発光パターンを示す。図３において、横軸は時間、縦軸は記録パワーすなわち光源の発光量を示している。
【００３２】
第１発光パターンは、光ディスク１の内周側記録領域１ａに対応する発光パターンである。図３（ａ）中の左側に位置する発光パターンが３Ｔ、４Ｔに対応する発光パターンであり、図３（ａ）中の右側に位置する発光パターンが５Ｔ〜１１Ｔ、１４Ｔに対応する発光パターンである。この第１発光パターンに対応する発光量は、光ディスク装置を起動する際に行われるＯＰＣから決定される。ここで、３Ｔ，４Ｔ，５Ｔ，１１Ｔ，１４Ｔは、それぞれＴを３倍にした数値，Ｔを４倍にした数値，Ｔを５倍にした数値、Ｔを１１倍にした数値，Ｔを１４倍にした数値であり、Ｔはチャネルクロックの周期である。
【００３３】
また、第２発光パターンは、光ディスク１の外周側記録領域１ｂに対応する発光パターンである。図３（ｂ）中の左側に示す発光パターンが３Ｔ、４Ｔに対応する発光パターンであり、図３（ｂ）中の右側に示す位置する発光パターンが５Ｔ〜１１Ｔ、１４Ｔに対応する発光パターンである。この第２発光パターンに対応する発光量は、第２発光パターンに切替えられる直前の第１発光パターンに対応する発光量から決定される。
【００３４】
制御部１３は、発光パターンを第１発光パターンから第２発光パターンに切替える際に、第２発光パターンに切替える直前で、第１発光パターンに対応する発光量をモニタする。そして、このモニタで得た発光量に所定値を乗算して第２発光パターンに対応する発光量を決定する。ここで、第１発光パターンに対応する発光量は、制御部１３がデジタル信号処理部１１を介して発光量調整部１２に設定した設定値をモニタすることで得ることができる。
【００３５】
図３（ａ）の場合、制御部１３が、第２発光パターンに切替える直前に、第１発光パターンに対応する発光量をＰｏ１としてモニタする。そして、このモニタで得た発光量Ｐｏ１に所定値αを乗算して発光量Ｐｏ２を算出し、このＰｏ２を第２発光パターンに対応する発光量とする。すなわち、本実施の形態１におけるＰｏ２は、以下の式で表すことができる。
【００３６】
Ｐｏ２＝α×Ｐｏ１  …  （数式１）
このとき、図３に示すように、第１発光パターンに基づく発光と第２発光パターンに基づく発光の発光時間は異なり、所定値αは、光源４ａの発光パターンを第１発光パターンから第２発光パターンに切替える際に、第２発光パターンに切替える直前の第１発光パターンに対応する発光量に基づく熱量と、第２発光パターンに切替えた直後の第２発光パターンに対応する発光に基づく熱量と、が等しくなるように設定される。これにより、第１発光パターンから第２発光パターンに切替える際の切替え前後において形成される各記録マークの長さの変化を抑制することができる。図３（ｂ）中の左側に示す３Ｔ、４Ｔに対応する発光パターンの場合、所定値αは、以下の式で表される。
【００３７】
α＝［（Ｔ１ｄ−Ｔ１ａ）／（Ｔ２ｄ−Ｔ２ａ）］  …  （数式２）
また、図３（ｂ）中の右側に示す５Ｔ〜１１Ｔ、１４Ｔに対応する発光パターンの場合、所定値αは、以下の式で表される。
【００３８】
α＝［｛（Ｔ１ｂ−Ｔ１ａ）＋（Ｔ１ｄ−Ｔ１ｃ）＋ε１×（Ｔ１ｃ−Ｔ１ｂ）｝／｛（Ｔ２ｂ−Ｔ２ａ）＋（Ｔ２ｄ−Ｔ２ｃ）＋ε２×（Ｔ２ｃ−Ｔ２ｂ）｝］  …  （数式３）
ここで、第１発光パターンに対応する発光の発光時間は、３Ｔ、４Ｔに対応する発光パターンと、５Ｔ〜１１Ｔ、１４Ｔに対応する発光パターンとで異なる。３Ｔ、４Ｔに対応する発光パターンの場合、発光時間は区分されず、発光量は発光期間中常に同一である。（数式２）において、（Ｔ１ｄ−Ｔ１ａ）は第１発光パターンの発光時間，（Ｔ２ｄ−Ｔ２ａ）は第２発光パターンの発光時間を示している。
【００３９】
また、５Ｔ〜１１Ｔ、１４Ｔに対応する発光パターンの場合、発光時間は、図３（ａ）の右側に示すように、第１発光時間、第２発光時間、第３発光時間の３つの時間に区分できる。第１発光時間に対応する発光量と第２発光時間に対応する発光量は同一発光量であり、第２発光時間に対応する発光量は第１発光時間に対応する発光量と第２発光時間に対応する発光量より小さい発光量である。（数式３）において、（Ｔ１ｂ−Ｔ１ａ）は第１発光パターンの第１発光時間，（Ｔ１ｄ−Ｔ１ｃ）は第１発光パターンの第３発光時間，（Ｔ１ｃ−Ｔ１ｂ）は第１発光パターンの第２発光時間，（Ｔ２ｂ−Ｔ２ａ）は第２発光パターンの第１発光時間，（Ｔ２ｄ−Ｔ２ｃ）は第２発光パターンの第３発光時間，（Ｔ２ｃ−Ｔ２ｂ）は第２発光パターンの第２発光時間を示している。また、ε１は第１発光パターンにおいて、第１発光時間に対応する発光量に対する第２発光発光時間に対応する発光量の比率を示し、ε２は第２発光パターンにおいて、第１発光時間に対応する発光量に対する第２発光発光時間に対応する発光量の比率を示している。（Ｔ１ｂ−Ｔ１ａ），（Ｔ１ｄ−Ｔ１ｃ），（Ｔ１ｃ−Ｔ１ｂ），（Ｔ２ｂ−Ｔ２ａ），（Ｔ２ｄ−Ｔ２ｃ），（Ｔ２ｃ−Ｔ２ｂ），ε１，ε２はそれぞれ記憶部１４に記憶されており、制御部１３の要求に応じて、それらの情報を制御部１３に出力する。
【００４０】
次に、発光パターン切替え時の記録品位評価値について説明する。
【００４１】
図４は、発光パターン切替え時の記録品位評価値を示す図である。図４（ａ）は記録速度または再生速度を示し、図４（ｂ）はエラーレート値を示し、図４（ｃ）はβ値を示している。エラーレート値は記録品位評価値の１つであり、データ再生時の誤り訂正の発生率で表される。また、β値は記録品位評価値の１つであり、再生したＲＦ信号のピークレベルをＡ１、ボトムレベルをＡ２としてβ＝（Ａ１＋Ａ２）／（Ａ１−Ａ２）で表される。図４において、横軸は光ディスクの半径方向における位置を示し、縦軸は記録速度，エラーレート値，β値を示す。また、図４中の破線は本発明の適用前であり、実線は本発明の適用後の状態を示す。
【００４２】
光ディスク１は、その中心から順にＯＰＣ領域、ディスク情報管理領域、ユーザーデータ領域に分かれる。ＯＰＣ領域，ディスク情報管理領域では、一定の記録速度または再生速度で記録または再生が行われる。また、ＣＡＶ記録でユーザーデータ領域に記録を行う際には、光ディスク１の半径方向の位置によって異なる記録速度で記録が行われるので、最適な記録品位を維持しようとすると途中で光源４ａの発光パターンを切替える必要がある。
【００４３】
図４の場合、記録位置が第１発光パターン適用区間内に位置するとき第１発光パターンで記録し、記録位置が第２発光パターン適用区間内に位置するとき第２発光パターンで記録する。第１発光パターン適用区間と第２発光パターン適用区間との間には発光パターン切替え位置ａがあり、この発光パターン切替え位置ａで記録パターンの変更を行う。また、図４の第１発光パターン適用区間は図２の内周側記録領域１ａに対応し、図４の第２発光パターン適用区間は図２の外周側記録領域１ｂに対応する。
【００４４】
ユーザーデータ領域で発光パターンの切替えを複数回行い、より高い記録品位を求める場合は、図４に示すように、発光パターン切替え位置ａ，発光パターン切替え位置ｂというように複数の発光パターン切替え位置を設けて、各切替え位置で発光パターン切替え位置ａと同様の発光パターンの切替えを行う。
【００４５】
図４中の破線は本発明の適用前の状態を示し、実線は本発明の適用後の状態を示している。本発明の適用前では、エラーレート値とβ値が発光パターン切替え位置ａで著しく大きくなっている。
【００４６】
従来、発光パターンを記録途中で切替えると、発光パターンを切替えた直後に光源４ａの発光量の精度を確保できなかった。すなわち、第２発光パターンに切替えた直後の記録速度、光源４ａの発光量に対する光ディスク１の各記録領域の感度差、および光ディスク装置の使用時間に応じて変化する温度上昇に起因する変化の影響を受けて光源４ａの発光量の精度を確保できなかった。
【００４７】
ところが、発光パターンを記録途中で切替える際に本発明を適用すると、第２発光パターンに対応する発光量に、第２発光パターンに切替えた直後の記録速度、光源の発光量に対する光ディスク１の各記録領域の感度差、および光ディスク装置の使用時間に応じて変化する温度上昇に起因する変化の影響を軽減し、光源４ａの発光パターンが第１発光パターンから第２発光パターンに切り替わる瞬間の記録品位を維持し続けることができる。その結果、光源４ａの発光パターンを第１発光パターンから第２発光パターンに切替える場合であっても、切替えた瞬間の記録品位を維持し続けることができる。
【００４８】
次に、第１発光パターンから第２発光パターンに切替える流れについて説明する。
【００４９】
図５は、本発明の実施の形態１における発光パターン切替え方法を示すフローチャートである。
【００５０】
光ディスク１が光ディスク装置に装着されると、制御部１３は、スピンドルモータ３を回転させ、光源４ａを発光させ、フォーカスサーボ、トラッキングサーボをかける。
【００５１】
制御部１３は、最初の発光パターンである第１発光パターンと装着された光ディスク１の第１発光パターン適用区間に対応する初期の記録速度とを記憶部１４から読み込み、デジタル信号処理部１１に光ディスク１の第１発光パターン適用区間に対応する初期の記録速度を設定してＯＰＣを実行する（Ｓ１）。そして、ＯＰＣの結果から第１発光パターンの記録開始時の発光量を算出する。その後、制御部１３は、デジタル信号処理部１１を介して発光量調整部１２に、算出した第１発光パターンの記録開始時の発光量を設定する（Ｓ２）。
【００５２】
次に、発光量調整部１２に設定した第１発光パターンと、第１発光パターンに対応する発光量とにより記録を開始する（Ｓ３）。その後、制御部１３は、発光パターン切替え位置ａを記憶部１４から読み込み、その発光パターン切替え位置ａに到達するまで、光ディスク１の記録位置に応じて変化する記録速度に光源４ａの発光量を合わせながら記録を継続する（Ｓ４）。発光パターン切替え位置ａまで記録が終了すると、そこで一旦記録を停止する（Ｓ５）。そして、制御部１３は、第１発光パターンの記録終了時における第１発光時間に対応する発光量Ｐｏ１を記憶し、記憶部１４から第２発光パターンと換算係数αと発光量比率ε２とを読み込む（Ｓ６）。本実施の形態１では、この換算係数αが、第２発光パターンに対応する発光量を算出する際に第１発光パターンに対応する発光量に乗算する所定値となる。
【００５３】
次に、制御部１３は、第２発光パターンの記録開始時における第１発光時間に対応する発光量Ｐｏ２と第２発光時間に対応する発光量Ｐｍ２を次の式から算出する（Ｓ７）。
【００５４】
Ｐｏ２＝α×Ｐｏ１  …  （数式４）
Ｐｍ２＝Ｐｏ２×ε２  …  （数式５）
ここで、換算係数αの代わりに、記録マーク長や前後のスペース長などを考慮した換算係数α´を用いることにより、換算係数αが記録マーク長や前後スペース長により発光パターンが異なる場合にも第２発光パターンの記録開始時における第１発光時間に対応する発光量Ｐｏ２を一意に算出することができ、発光量Ｐｏ２を記録マーク長や前後スペース長ごとに変化させる必要がなく発光量の制御が容易となる。換算係数α´については後述する。
【００５５】
次に、制御部１３は、算出した第２発光パターンの記録開始時の発光量を、デジタル信号処理部１１を介して発光量調整部１２に設定する（Ｓ８）。その後、発光量調整部１２に設定した第２発光パターンと、第２発光パターンに対応する発光量とにより記録を再開する（Ｓ９）。
【００５６】
その後、制御部１３は、記録終了位置に到達するまで、光ディスク１の記録位置に応じて変化する記録速度に光源４ａの発光量を合わせながら記録を継続する（Ｓ１０）。記録終了位置まで記録が終了すると、第２発光パターンによる記録を終了する（Ｓ１１）。
【００５７】
ここで、換算係数α´について説明する。換算係数αは１つのマークの発光パターンについて計算するものである。これに対し、換算係数α´は記録マーク長や前後のスペース長などを考慮して計算するものであり、ｎをマーク発光パターンに与えた識別番号としてαをα（ｎ）とし、識別番号ｎで与えられる発光パターンの発生頻度をｋ（ｎ）とすると、発生頻度による重み付け平均すなわち換算係数α´は以下の式で表すことができる。
【００５８】
α´＝Σ｛α（ｎ）×ｋ（ｎ）｝／Σｋ（ｎ）  …  （数式６）
換算係数α´の計算は、全発光パターンについて行っても良いが、一般的には短マークの発生頻度が高いので、短マークの発光パターンのみで簡略計算しても良い。なお、図５に示すフローチャートでは、換算係数αまたは換算係数α´は記憶部１４に記憶されている場合を示したが、記録中に制御部１３で算出しても良い。
【００５９】
以上の内容により、光源の発光パターンを第１発光パターンから第２発光パターンに切替える際、第２発光パターンに切替える直前に、第１発光パターンに対応する発光量をモニタし、モニタで得た発光量に所定値を乗算して第２発光パターンに対応する発光量を決定するので、第２発光パターンに対応する発光量に、第２発光パターンに切替えた直後の記録速度、光源の発光量に対する光ディスク各記録領域の感度差、および光ディスク装置の使用時間に応じて変化する温度上昇に起因する変化の影響を軽減し、光源の発光パターンが第１発光パターンから第２発光パターンに切り替わる瞬間の記録品位を維持し続けることができる。その結果、光源の発光パターンを第１発光パターンから第２発光パターンに切替える場合であっても、切替えた瞬間の記録品位を維持し続けることが可能な光ディスク装置およびその制御方法を実現することができる。
【産業上の利用可能性】
【００６０】
本発明は、光源の発光パターンを切替える場合であっても、切替えた瞬間の記録品位を維持し続けることができるので、光ディスクに情報の記録を行う光ディスク装置およびその制御方法などに適応可能である。
【図面の簡単な説明】
【００６１】
【図１】本発明の実施の形態１における光ディスク装置のレーザパワー制御部を示すブロック図
【図２】光ディスクの記録領域を示す図
【図３】本発明の実施の形態１における光源の発光パターンを示す図
【図４】発光パターン切替え時の記録品位評価値を示す図
【図５】本発明の実施の形態１における発光パターン切替え方法を示すフローチャート
【符号の説明】
【００６２】
１    光ディスク
２    ピックアップモジュール
３    スピンドルモータ
４    光ピックアップ
４ａ    光源
４ｂ    対物レンズ
４ｃ    受光部
５    キャリッジ
６    フィード部
７    フィードモータ
８    アナログ信号処理部
８ａ    ＲＦ信号生成部
９    サーボ処理部
１０    モータ駆動部
１１    デジタル信号処理部
１２    発光量調整部
１３    制御部
１４    記憶部
【図１】
2010170618.tif 000003
【図２】
2010170618.tif 000004
【図３】
2010170618.tif 000005
【図４】
2010170618.tif 000006
【図５】
2010170618.tif 000007